(57)【特許請求の範囲】
【請求項１】
接続部材と、押圧部材と、前記接続部材及び前記押圧部材に接続される少なくとも１つの弾性部材とを備えるボタン構造であって、
前記少なくとも１つの弾性部材が、前記押圧部材が前記接続部材を押圧する場合、回復力を提供するためのものであり、
前記接続部材に、電流伝送端及びデータ伝送端の少なくとも１つと、指令送信端とが設けられ、
前記押圧部材に、前記電流伝送端に電気的に接続される電流伝送ピン及び前記データ伝送端に電気的に接続されるデータ伝送ピンの少なくとも１つと、指令トリガ端とが設けられ、前記押圧部材が、対向して設けられる正面及び裏面を備え、前記指令トリガ端は前記裏面に設けられて前記指令送信端に向き、前記正面に第一挿着部が設けられ、前記電流伝送ピン及び前記データ伝送ピンの少なくとも１つが前記裏面から前記正面へ延び、電源及びデータソースの少なくとも１つに電気的に接続されるためのものであり、前記電源やデータソースの少なくとも１つが第二挿着部を備え、
前記ボタン構造は、３つの動作状態を有し、第一動作状態では、前記第二挿着部が前記第一挿着部に挿着されなく、前記押圧部材が前記接続部材を押圧して、前記指令トリガ端が前記指令送信端に接触して指令送信をトリガし、第二動作状態では、前記押圧部材が前記接続部材を押圧しなく、前記第二挿着部が前記第一挿着部に挿着されて、電流やデータを伝送し、第三動作状態では、前記第二挿着部が前記第一挿着部に挿着されるとともに、前記押圧部材が前記接続部材を押圧して、電流やデータを伝送するとともに指令送信をトリガすることを特徴とするボタン構造。
【請求項２】
前記電流伝送端が第一正極及び第一負極を備え、前記電流伝送ピンが第一正極ピン及び第一負極ピンを備え、前記第一正極ピンが前記第一正極に接続され、前記第一負極ピンが前記第一負極に接続されることを特徴とする請求項１に記載のボタン構造。
【請求項３】
前記少なくとも１つの弾性部材が第一導電弾性片と第二導電弾性片とを備え、前記第一導電弾性片が前記第一正極及び前記第一正極ピンに接続され、前記第二導電弾性片が前記第一負極及び前記第一負極ピンに接続されることを特徴とする請求項２に記載のボタン構造。
【請求項４】
前記データ伝送端が第二正極と第二負極とを備え、前記データ伝送ピンが第二正極ピンと第二負極ピンとを備え、前記第二正極ピンが前記第二正極に接続され、前記第二負極ピンが前記第二負極に接続されることを特徴とする請求項１または３に記載のボタン構造。
【請求項５】
前記少なくとも１つの弾性部材が第三導電弾性片と第四導電弾性片とをさらに備え、前記第三導電弾性片が前記第二正極及び前記第二正極ピンに接続され、前記第四導電弾性片が前記第二負極及び前記第二負極ピンに接続されることを特徴とする請求項４に記載のボタン構造。
【請求項６】
前記指令送信端が少なくとも１つの固定コンタクトを備え、前記指令トリガ端が少なくとも１つの可動コンタクトを備え、前記押圧部材が前記接続部材を押圧する場合、前記可動コンタクトが前記固定コンタクトに接触することにより、１つ以上の指令の送信がトリガされることを特徴とする請求項１に記載のボタン構造。
【請求項７】
前記弾性部材が円弧状に曲げられたものであり、前記弾性部材が前記接続部材に固定された第一端と、前記押圧部材に固定された第二端とを備え、前記少なくとも１つの弾性部材の第二端が直線に沿って配列され、前記少なくとも１つの弾性部材の第二端が交互に配列され、且つ、前記指令送信端の両側に位置することを特徴とする請求項１に記載のボタン構造。
【請求項８】
前記正面に第一位置決め部が設けられ、前記電源及びデータソースの少なくとも１つが前記第二挿着部に固定されて接続される第二位置決め部を備え、前記第二位置決め部が前記第一位置決め部とマッチすることにより、前記第一挿着部及び前記第二挿着部が位置決められることを特徴とする請求項１に記載のボタン構造。
【請求項９】
前記第一挿着部がスロットであり、前記第二挿着部が突起であることを特徴とする請求項８に記載のボタン構造。
【請求項１０】
前記第一位置決め部がスロットであり、前記第二位置決め部が突起であることを特徴とする請求項８または９に記載のボタン構造。
【請求項１１】
前記第一挿着部及び前記第二挿着部が磁気によって互いに引き付けられることを特徴とする請求項１０に記載のボタン構造。
【請求項１２】
前記押圧部材が絶縁層を備え、前記絶縁層が前記電源伝送端と前記データ伝送端を電気的に分離することを特徴とする請求項１１に記載のボタン構造。
【請求項１３】
請求項１〜１２のいずれかに記載のボタン構造と、ハウジングとを備え、前記ハウジングが収納室を備え、前記接続部材が前記収納室内に固定され、前記押圧部材が前記収納室から露出することを特徴とする端末。
【請求項１４】
前記収納室を封着するカバープレートをさらに備え、前記接続部材が前記カバープレートに対向して設けられ、前記押圧部材が前記カバープレートに固定され、前記カバープレートに、前記接続部材に近づく変形が生じることができることを特徴とする請求項１３に記載の端末。
【請求項１５】
蓄電素子及びデータ記憶素子の少なくとも１つと、指令処理素子とをさらに備え、前記電流伝送端が前記蓄電素子に電気的に接続され、前記データ伝送端が前記データ記憶素子に電気的に接続され、前記指令送信端が前記指令処理素子に電気的に接続されることを特徴とする請求項１４に記載の端末。
【発明の詳細な説明】
【技術分野】
【０００１】
本発明は、端末に関し、特に、ボタン構造及びそれを備える端末に関する。
【背景技術】
【０００２】
従来、多くの端末にボタンが設けられるが、ボタンは、ボタン機能のみを有しており、回路をオン又はオフにすることにより、指令を送信することができる。ボタンは、機能が単一で、しかも、端末の内部空間を大きく占用する。また、従来、多くの端末には、ボタンが設けられる必要があるうえに、電力出力若しくは電力入力、又は、データ出力若しくはデータ入力の必要がある。例えば、端末は、携帯電話、コンピュータ、携帯電源、リムーバブルメモリなどであってもよい。通常、端末には、電力を伝送できるうえにデータを伝送できるＵＳＢ（Ｕｎｉｖｅｒｓａｌ  Ｓｅｒｉａｌ  Ｂｕｓ）インターフェースが設けられてもよい。しかしながら、端末に設けられるＵＳＢインターフェースなどは、一般的に、構造が複雑で、端末の空間を占用するとともに、端末の見栄えに影響を及ぼしており、しかも、インターフェースが端末に露出するため、埃や不純物が端末内部に入りやすく、端末の寿命に影響を及ぼす。なお、従来、端末の様々な機能要求を満たすとともに、端末の内部空間を省くことができるボタン構造はない。
【発明の概要】
【０００３】
本発明は、様々な機能要求を満たすことができるボタン構造及びそれを備える端末を提供することを目的とする。
【０００４】
この課題を解決するために、本発明は、接続部材と、押圧部材と、前記接続部材及び前記押圧部材に接続される少なくとも１つの弾性部材とを備え、前記少なくとも１つの弾性部材が、前記押圧部材が前記接続部材を押圧する場合、回復力を提供するためのものであり、前記接続部材に、電流伝送端及びデータ伝送端の少なくとも１つと、指令送信端とが設けられ、前記押圧部材に、電流伝送ピン及びデータ伝送ピンの少なくとも１つと、指令トリガ端とが設けられ、前記電流伝送ピンが、前記電流伝送端に電気的に接続され、電流を出力または入力するためのものであり、前記データ伝送ピンが、前記データ伝送端に電気的に接続され、データを出力または入力するためのものであり、前記指令トリガ端が、前記押圧部材が前記接続部材を押圧する場合、前記指令送信端に接触して指令送信をトリガするためのものであることを特徴とするボタン構造を提供する。
【０００５】
本発明は、上記ボタン構造と、ハウジングとを備え、前記ハウジングが収納室を備え、前記接続部材が前記収納室内に固定され、前記押圧部材が前記収納室から露出することを特徴とする端末をさらに提供する。
【０００６】
本発明に係るボタン構造及びそれを備える端末は、前記押圧部材の電流伝送ピンが前記接続部材の電流伝送端に電気的に接続されることにより、電流を出力または入力することができ、前記押圧部材のデータ伝送ピンが前記接続部材のデータ伝送端に電気的に接続されることにより、データを出力または入力することができ、前記指令トリガ端が、前記押圧部材が前記接続部材を押圧する場合、前記指令送信端に接触し、指令を送信することにより、前記ボタン構造は、様々な機能要求を満たすことができる。
【図面の簡単な説明】
【０００７】
本発明に係る技術手段を一層明瞭に説明するために、以下、実施形態に必要な添付図面を簡単に紹介する。以下に説明される添付図面は、本発明の実施形態の一部に関するものにすぎないことが明らかであり、当業者にとって、創造的な労働なしに、これらの図面から他の図面を得ることができる。
【図１】図１は、本発明の第一実施例に係るボタン構造の概略図である。
【図２】図２は、本発明の第二実施例に係るボタン構造の概略図である。
【図３】図３は、本発明の第三実施例に係るボタン構造の概略図である。
【図４】図４は、図１の第一実施例に係るボタン構造の概略斜視図である。
【図５】図５は、図４のボタン構造の第一動作状態の側面図である。
【図６】図６は、図４のボタン構造の第二動作状態の側面図である。
【図７】図７は、図４のボタン構造の第三動作状態の側面図である。
【図８】図８は、図４のボタン構造の弾性部材の概略図である。
【図９】図９は、図４のボタン構造の弾性部材の第一変形例である。
【図１０】図１０は、図４のボタン構造の弾性部材の第二変形例である。
【発明を実施するための形態】
【０００８】
以下、本発明の実施形態に係る添付図面を参照しながら、本発明の実施形態に係る技術手段を明瞭に、完全に説明する。
図１〜３を参照すると、本発明の第一実施形態は、ボタン構造１００を提供する。
【０００９】
前記ボタン構造１００は、接続部材１０と、押圧部材２０と、前記接続部材１０及び前記押圧部材２０に接続される少なくとも１つの弾性部材３０とを備える。前記少なくとも１つの弾性部材３０は、前記押圧部材２０が前記接続部材１０を押圧する場合、回復力を提供するためのものである。前記接続部材１０には、電流伝送端１１及びデータ伝送端１２の少なくとも１つと、指令送信端１３とが設けられる。前記押圧部材２０には、電流伝送ピン２１及びデータ伝送ピン２２の少なくとも１つと、指令トリガ端２３とが設けられる。前記電流伝送ピン２１は、前記電流伝送端１１に電気的に接続され、電流を出力または入力するためのものである。前記データ伝送ピン２２は、前記データ伝送端１２に電気的に接続され、データを出力または入力するためのものである。前記指令トリガ端２３は、前記押圧部材２０が前記接続部材１０を押圧する場合、前記指令送信端１３に接触して指令送信をトリガするためのものである。
【００１０】
前記ボタン構造１００は、前記押圧部材２０における電流伝送ピン２１が前記接続部材１０における電流伝送端１１に電気的に接続されることにより、電流を出力または入力することができる。また、前記ボタン構造１００は、前記押圧部材２０におけるデータ伝送ピン２２が前記接続部材１０におけるデータ伝送端１２に電気的に接続されることにより、データを出力または入力することができる。また、前記ボタン構造１００は、前記押圧部材２０が前記接続部材１０を押圧する場合、前記指令トリガ端２３が前記指令送信端１３に接触することにより、指令を送信することができる。このため、前記ボタン結構１００は、様々な機能要求を満たすことができる。
【００１１】
本実施形態において、前記接続部材１０は、集積回路基板である。前記接続部材１０には、電流伝送回路及びデータ伝送回路の少なくとも１つと、指令送信回路とが設けられる。好ましくは、前記接続部材１０には、電流伝送回路と、データ伝送回路と、指令送信回路とが設けられ、つまり、前記接続部材１０は、電源から電流を取得し、様々な電子素子に入力することができ、或いは、電源からの電流を被充電デバイスに出力することができる。また、前記接続部材１０は、データ記憶デバイスにデータを入力し、或いは、データ記憶デバイスからデータを出力することができる。また、前記接続部材１０は、指令を中央演算処理装置に送信することができる。前記接続部材１０は、例えば、携帯電話、タブレットコンピュータ、電子アルバム、または音楽プレーヤーなどの端末のためのものであってもよいと理解すべきである。前記電流伝送端１１、前記データ伝送端１２及び前記指令送信端１３は、それぞれ、前記電流伝送回路、前記データ通信回路及び前記指令送信回路に対応して設けられる。前記接続部材１０は、前記電流伝送端１１を介して電源に接続され、端末を充電することができ、前記データ伝送端１２を介して記憶デバイスに接続され、様々な音楽データ、画像データ、または音声データなどを端末に伝送することができ、前記指令送信端１３を介してスイッチ指令、音量調節指令、または輝度調節指令などを端末に送信することができる。
【００１２】
他の実施形態において、前記接続部材１０は、前記電流伝送端１１と前記指令送信端１３だけを備えてもよく、例えば、前記接続部材が携帯電源に応用する場合、前記接続部材１０は、携帯電話またはタブレットコンピュータに携帯電源からの電力を伝送することができ、また、前記接続部材１０は、携帯電源にオフ指令、オン指令または電気量表示指令を伝送することができる。前記接続部材１０は、例えば、フラッシュメモリデバイスに応用する場合、前記データ伝送端１２と前記指令送信端１３だけを備えてもよい。
【００１３】
本実施形態において、前記押圧部材２０は、前記電流伝送ピン２１及び／又は前記データ伝送ピン２２を介して電源及び／又はデータ記憶装置に接続される。前記押圧部材２０は、ＵＳＢインターフェース付きのデータ線に接続されることにより、電源及び／又はデータ記憶デバイスに接続されることができるため、端末を充電し且つ／又はデータを伝送することができる。具体的には、前記押圧部材２０は、電流伝送ピン２１及びデータ伝送ピン２２を備え、前記電流伝送ピン２１及び前記データ伝送ピン２２が、それぞれ、導電体を介して前記電流伝送端１１及び前記データ伝送端１２に電気的に直接接続され、或いは、結合によって前記電流伝送端１１及び前記データ伝送端１２に接続されることができる。他の実施形態において、前記接続部材１０が、前記電流伝送端１１及び前記指令送信端１３だけを備え、或いは、前記データ伝送端１２及び前記指令送信端１３だけを備える場合、前記押圧部材２０は、電流伝送ピン２１及び指令トリガ端２３だけを備え、或いは、データ伝送ピン２２及び指令トリガ端２３だけを備える。
【００１４】
本実施形態において、前記押圧部材２０は、前記接続部材１０に対向して設けられ、前記接続部材１０に近づき、或いは、前記接続部材１０から離れることができる。前記押圧部材２０は、前記接続部材１０から離れる場合、前記指令トリガ端２３が前記指令送信端１３に接触しないため、前記接続部材１０の指令送信回路がオフであり、このとき、前記ボタン構造１００が端末に指令を送信しなく、端末の動作状態が変えられない。前記押圧部材２０は、前記接続部材１０に近づく場合、前記指令トリガ端２３が前記指令送信端１３に接触するため、前記接続部材１０の指令送信回路がオンであることにより、トリガ指令が端末に送信され、端末の動作状態が変えられる。前記押圧部材２０が端末の電源ボタンであってもよく、前記押圧部材２０が押圧されることにより、端末の電源が制御され、例えば、電源のオンやオフが制御されることができると理解すべきである。
【００１５】
さらに、前記電流伝送端１１は、第一正極１１１及び第一負極１１２を備える。前記電流伝送ピン２１は、第一正極ピン２１１及び第一負極ピン２１２を備える。前記第一正極ピン２１１が前記第一正極１１１に接続され、前記第一負極ピン２１２が前記第一負極１１２に接続される。
【００１６】
本実施形態において、第一実施例が提供だれ、図１を参照すると、前記第一正極１１１及び前記第一負極１１２は、それぞれ、電力消費デバイス１１３の正極及び負極に接続される。前記第一正極１１１及び前記第一負極１１２は、前記電力消費デバイス１１３に電流を入力することができる。前記電流伝送ピン２１の第一正極ピン２１１及び第一負極ピン２１２は、それぞれ、給電デバイス２１３の正極及び負極に接続される。前記第一正極ピン２１１及び前記第一負極ピン２１２が前記電流伝送端１１の第一正極１１１及び第一負極１１２を前記給電デバイス２１３の正極及び負極にそれぞれ接続することにより、前記第一正極１１１及び前記第一負極１１２は前記給電デバイス２１３に電気的に接続され、さらに、前記第一正極１１１及び前記第一負極１１２は前記給電デバイス２１３からの電力を前記電力消費デバイス１１３に伝送する。前記電力消費デバイス１１３は、端末のディスプレイスクリーン、中央演算処理装置、スピーカー、内蔵電池などの電子素子であってもよいと理解すべきである。前記第一正極ピン２１１及び前記第一負極ピン２１２は、それぞれ、ＵＳＢインターフェースのＤ＋ピン及びＤ−ピンであってもよい。前記給電デバイス２１３は、携帯電源、送電網に接続されたソケット、電池などの電源であってもよい。他の実施形態において、前記電流伝送ピン２１が接地ピンをさらに備えてもよく、前記電流伝送端１１が前記接地ピンに接続された接地電極をさらに備えてもよい。
【００１７】
さらに、前記データ伝送端１２は、第二正極１２１及び第二負極１２２を備える。前記データ伝送ピン２２は、第二正極ピン２２１及び第二負極ピン２２２を備える。前記第二正極ピン２２１が前記第二正極１２１に接続され、前記第二負極ピン２２２が前記第二負極１２２に接続される。
【００１８】
第一実施例において、図１を参照すると、前記データ伝送端１２は、前記第二正極１２１及び前記第二負極１２２は、それぞれ、第一データ記憶デバイス１２３の正極及び負極に接続される。前記第二正極１２１及び前記第二負極１２２は、前記第一データ記憶デバイス１２３にデータ情報を入力し、或いは、前記第一データ記憶デバイス１２３からデータ情報を出力することができる。前記データ伝送ピン２２の第二正極ピン２２１及び第二負極ピン２２２は、それぞれ、第二データ記憶デバイス２２３の正極及び負極に接続される。前記第二正極ピン２２１及び前記第二負極ピン２２２が前記データ伝送端１２の第二正極１２１及び第二負極１２２を前記第二データ記憶デバイス２２３の正極及び負極にそれぞれ接続することにより、前記第二正極１２１及び前記第二負極１２２は前記第二データ記憶デバイス２２３に接続され、されに、前記第二正極１２１及び前記第二負極１２２は前記第一データ記憶デバイス１２３及び前記第二データ記憶デバイス２２３を互いに接続することにより、前記第一データ記憶デバイス１２３及び前記第二データ記憶デバイス２２３がデータを交換することができる。前記第一データ記憶デバイス１２３が、携帯電話、タブレットコンピュータ、電子リーダーなどの端末であってもよく、前記第二正極ピン２２１及び前記第二負極ピン２２２が、それぞれ、ＵＳＢインターフェースのＤＡＴＡ＋ピン及びＤＡＴＡ−ピンであってもよく、前記第二データ記憶デバイス２２３が、コンピュータのハードディスク、フラッシュメモリデバイス、またはリムーバブルハードディスクであってもよいと理解すべきである。他の実施形態において、前記第一データ記憶デバイスがリムーバブルハードディスク、フラッシュメモリデバイス、またはノートコンピュータのハードディスクなどであってもよく、前記第二データ記憶デバイスが、携帯電話、タブレットコンピュータ、または電子リーダーなどであってもよい。
【００１９】
さらに、前記指令送信端１３が少なくとも１つの固定コンタクトを備え、前記指令トリガ端２３が少なくとも１つの可動コンタクトを備える。前記押圧部材２０が前記接続部材１０を押圧する場合、前記可動コンタクトが前記固定コンタクトに接触することにより、１つ以上の指令の送信がトリガされる。
【００２０】
第一実施例において、図１を参照すると、前記指令送信端１３が第一固定コンタクト１３１を備え、前記指令トリガ端２３が第一可動コンタクト２３１を備える。前記第一固定コンタクト１３１が前記接続部材１０の指令送信回路の一端に設けられ、前記第一可動コンタクト２３１が導電体（図示せず）を介して前記接続部材１０の指令送信回路の他端に接続され、前記第一可動コンタクト２３１が前記第一固定コンタクト１３１に接触することにより、前記指令送信回路がオンにされ、パルス信号を生成し、さらに、前記指令送信端１３が指令を送信する。前記押圧部材２０は、電源オン指令や電源オフ指令を生成することができると理解すべきである。
【００２１】
第二実施例が提供され、図２を参照すると、前記第一正極１１１及び前記第一負極１１２は、それぞれ、給電デバイス１１３ａの正極及び負極に接続される。前記第一正極１１１及び前記第一負極１１２は、前記給電デバイス１１３ａから電流を取得することができる。前記電流伝送ピン２１の第一正極ピン２１１及び第一負極ピン２１２は、それぞれ、電力消費デバイス２１３ａの正極及び負極に接続される。前記第一正極ピン２１１及び前記第一負極ピン２１２が前記電流伝送端１１の第一正極１１１及び第一負極１１２を前記電力消費デバイス２１３ａの正極及び負極にそれぞれ接続することにより、前記第一正極１１１及び前記第一負極１１２は前記電力消費デバイス２１３ａに電気的に接続され、さらに、前記第一正極１１１及び前記第一負極１１２は前記給電デバイス１１３ａからの電力を前記電力消費デバイス２１３ａに伝送する。前記給電デバイス１１３ａは、携帯電源、携帯電源付きの携帯電話、電池アセンブリ、送電網に接続されたソケットなどであってもよいと理解すべきである。前記第一正極ピン２１１及び前記第一負極ピン２１２は、それぞれ、ＵＳＢインターフェースのＤ＋ピン及びＤ−ピンであってもよい。前記電力消費デバイス２１３ａは、携帯電話、タブレットコンピュータ、電子アルバム、電子リーダーなどの電子デバイスであってもよい。他の実施形態において、前記電流伝送ピン２１が接地ピンをさらに備えてもよく、前記電流伝送端１１が前記接地ピンに接続された接地電極をさらに備えてもよい。
【００２２】
第二実施例において、図２を参照すると、前記指令送信端１３が二つの前記第一固定コンタクト１３１を備え、前記指令トリガ端２３が二つの前記第一可動コンタクト２３１を備える。前記二つの第一固定コンタクト１３１が前記指令送信回路の両端に設けられ、前記二つの第一可動コンタクト２３１が導電体の両端に設けられ、前記導電体が前記押圧部材２０における前記接続部材１０に隣接する側に設けられる。前記押圧部材２０が前記接続部材１０を押圧した後、前記二つの第一可動コンタクト２３１が前記二つの第一固定コンタクト１３１にそれぞれ接触することにより、前記指令送信回路がオンにされ、パルス信号を生成するようにトリガされ、さらに、前記指令送信端１３が指令を送信する。
【００２３】
第三実施例が提供され、図３を参照すると、前記指令送信端１３が第一固定コンタクト１３１及び第二固定コンタクト１３２を備え、前記指令トリガ端２３が第一可動コンタクト２３１及び第二可動コンタクト２３２を備える。前記第一固定コンタクト１３１が前記接続部材１０の第一指令送信回路の一端に設けられ、前記第二固定コンタクト１３２が前記接続部材１０の第二指令送信回路の一端に設けられ、前記第一可動コンタクト２３１が第一導電体（図示せず）を介して前記第一指令送信回路の他端に接続され、前記第二可動コンタクト２３２が第二導電体（図示せず）を介して前記第二指令送信回路の他端に接続される。前記押圧部材２０が前記接続部材１０を押圧した後、前記第一可動コンタクト２３１が前記第一固定コンタクト１３１に接触することにより、前記第一指令送信回路がオンにされ、第一パルス信号を生成するようにトリガされ、さらに、前記指令送信端１３が第一指令を送信するとともに、前記第二可動コンタクト２３２が前記第二固定コンタクト１３２に接触することにより、前記第二指令送信回路が第二パルス信号を生成するようにトリガされ、さらに、前記指令送信端１３が第二指令を送信することができる。前記第一可動コンタクト２３１及び前記第二可動コンタクト２３２は、それぞれ、前記第一固定コンタクト１３１及び前記第二固定コンタクト１３２に同時に接触してもよく、前記第一固定コンタクト１３１及び前記第二固定コンタクト１３２に非同時に接触してもよい。前記押圧部材１０は、端末の音量調節ボタンであってもよく、前記第一指令によって音量を増大し、前記第二指令によって音量を低減し、或いは、前記押圧部材１０は、端末の輝度調節ボタンであってもよいと理解すべきである。
【００２４】
さらに、第一実施例において、図１及び図４を参照すると、前記少なくとも１つの弾性部材３０は、第一導電弾性片３１及び第二導電弾性片３２を備え、前記第一導電弾性片３１が前記第一正極１１１及び前記第一正極ピン２１１に接続され、前記第二導電弾性片３２が前記第一負極１１２及び前記第一負極ピン２１２に接続される。前記少なくとも１つの弾性部材３０は、第三導電弾性片３３及び第四導電弾性片３４をさらに備え、前記第三導電弾性片３３が前記第二正極１２１及び前記第二正極ピン２２１に接続され、前記第四導電弾性片３４が前記第二負極１２２及び前記第二負極ピン２２２に接続される。
【００２５】
本実施例において、前記第一導電弾性片３１は、金属材料で製造される。前記第一導電弾性片３１は、前記接続部材１０及び前記押圧部材２０に弾性回復力を提供するとともに、前記第一正極１１１及び前記第一正極ピン２１１に電気的に接続されることにより、前記第一正極１１１及び前記第一正極ピン２１１を電気的に接続することができ、つまり、前記第一正極１１１と前記第一正極ピン２１１との間にある導電体が前記弾性部材３０に設けられてもよい。前記第二導電弾性片３２、第三導電弾性片３３及び第四導電弾性片３４は、構造が前記第一導電弾性片３１と同様であるように設けられ、詳しい説明はここで省略される。他の実施形態において、前記ボタン構造１００の接続部材１０が前記電流伝送端１１及び前記指令送信端１３だけを備え、或いは、前記データ伝送端１２及び前記指令送信端１３だけを備える場合、前記少なくとも１つの弾性部材は、前記第一導電弾性片及び前記第二導電弾性片だけを備えてもよく、或いは、前記第三導電弾性片と前記第四導電弾性片だけを備えてもよい。
【００２６】
第二実施例において、図２を参照すると、前記少なくとも１つの弾性部材３０は、第一弾性片３１１を備える。前記第一弾性片３１１は、矩形スプリングである。前記第一弾性片３１１は、両端がそれぞれ前記接続部材１０及び前記押圧部材２０に固定される。前記第一正極１１１及び前記第一正極ピン２１１は、第一フレキシブルケーブル１１１ａによって接続される。前記第一負極１１２及び前記第一負極ピン２１２は、第二フレキシブルケーブル１２１ａによって接続される。前記第一フレキシブルケーブル、前記第二フレキシブルケーブル、及び前記第一弾性片３１１は、互いに絶縁するように設けられる。
【００２７】
第三実施例において、図３を参照すると、前記少なくとも１つの弾性部材３０は、ゴムパッド３１１ａ及び第二ゴムパッド３１２ａを備える。前記第一ゴムパッド３１１ａ及び前記第二ゴムパッド３１２ａは、すべて、前記接続部材１０と前記押圧部材２０との間に固定される。前記第一ゴムパッド３１１ａは、前記第一可動コンタクト２３１に近づき、前記第一可動コンタクト２３１を前記第一固定コンタクト１３１から離れさせる回復力を提供するためのものである。前記第二ゴムパッド３１２ａは、前記第二可動コンタクト２３２に近づき、前記第二可動コンタクト２３２を前記第二固定コンタクト１３２から離れさせる回復力を提供するためのものである。このため、前記押圧部材１０は、それぞれ、前記第一可動コンタクト２３１及び前記第二可動コンタクト２３２をそれぞれ操作することができる。
【００２８】
さらに、図１、図４及び図５を参照すると、前記押圧部材２０は、対向して設けられる正面２０ａ及び裏面２０ｂを備える。前記裏面２０ｂは、前記接続部材１０に向く。前記正面２０ａには、第一挿着部２０１ａが設けられる。前記電流伝送ピン２１及び前記データ伝送ピン２２の少なくとも１つは、前記裏面２０ｂから前記正面２０ａへ延び、電源及びデータソースの少なくとも１つに電気的に接続されるためのものである。前記電源やデータソースの少なくとも１つは、前記第一挿着部２０１ａに接続された第二挿着部２０２ａを備える。
【００２９】
第一実施例において、前記押圧部材２０は、矩形板である。前記第一挿着部２０１ａが平面であり、前記第二挿着部２０２ａが平面である。前記第一挿着部２０１ａには、第一磁気層Ｎが設けられる。前記第二挿着部２０２ａには、第二磁気層Ｓが設けられる。前記第一挿着部２０１ａが前記第二挿着部２０２ａに近づく場合、前記押圧部材２０の第一挿着部２０１ａ及び前記第二挿着部２０２ａは、二つの磁気層の磁気によって互いに引き付けられる。前記第二挿着部２０２ａは、給電デバイスのプラグまたはデータ線のプラグであると理解すべきである。
【００３０】
本実施例において、前記押圧部材２０の正面２０ａには、４つの挿入孔２０２が設けられる。前記第一正極ピン２１１、前記第一負極ピン２１２、前記第二正極ピン２２１及び前記第二負極ピン２２２は、それぞれ、前記裏面２０ｂから前記４つの挿入孔２０２内に延びる。前記第一正極ピン２１１、前記第一負極ピン２１２、前記第二正極ピン２２１及び前記第二負極ピン２２２は、すべて、中空の筒状を呈する。前記第二挿着部２０２ａには、４つの挿入ピン２０３が設けられる。前記４つの挿入ピン２０３は、ケーブルの接続端子である。前記４つの挿入ピン２０３が、それぞれ、前記４つの挿入孔２０２内に挿入されることにより、前記第一正極ピン２１１及び前記第一負極ピン２１２、前記第二正極ピン２２１及び前記第二負極ピン２２２は、それぞれ、電源及びデータソースに接触する。具体的には、前記第一正極ピン２１１を例に挙げて、前記第一正極ピン２１１における前記裏面２０ｂから離れた端面が前記正面２０ａと揃うことにより、前記挿入ピン２０３が前記第一正極ピン２１１内に挿入され、前記第一正極ピン２１１が前記挿入ピン２０３を被覆するため、前記第一正極ピン２１１と前記挿入ピン２０３との接触領域が増大され、そして、前記第一正極ピン２１１と前記挿入ピン２０３との間の導電性が一層良い。前記第一負極ピン２１２、前記第二正極ピン２２１及び前記第二負極ピン２２２は、構造が前記第一正極ピン２１１と同様であるため、詳しい説明はここで省略される。他の実施形態において、前記第一正極ピン２１１、前記第一負極ピン２１２、前記第二正極ピン２２１及び前記第二負極ピン２２２は、柱状を呈してもよく、前記第一正極ピン２１１、前記第一負極ピン２１２、前記第二正極ピン２２１及び前記第二負極ピン２２２における前記裏面２０ｂから離れた端面は、前記挿入孔２０２内に設けられる。
【００３１】
本実施例において、前記正面２０ａには、第一位置決め部２０１ｂが設けられる。前記電源及びデータソースの少なくとも１つは、前記第二挿着部２０２ａに固定されて接続される第二位置決め部２０２ｂを備える。前記第二位置決め部２０２ｂが前記第一位置決め部２０１ｂとマッチすることにより、前記第一挿着部２０１ａ及び前記第二挿着部２０２ａが位置決められる。具体的には、前記第一位置決め部２０１ｂがスロットであり、前記第二位置決め部２０２ｂが突起である。他の実施形態において、前記第一位置決め部２０１ｂが位置決めピンであってもよく、前記第二位置決め部２０２ｂが位置決め孔であってもよい。
【００３２】
本実施例において、前記押圧部材２０は、絶縁層２４を備える。前記絶縁層２４は、前記電源伝送端２１と前記データ伝送端２２を電気的に分離する。具体的には、前記絶縁層２４は、前記第一正極ピン２１１、前記第一負極ピン２１２、前記第二正極ピン２２１及び前記第二負極ピン２２２の周縁を被覆する。第一磁性層Ｎは、絶縁体２４を被覆する。
【００３３】
本実施例において、前記ボタン構造１００は、３つの動作状態を有する。図５を参照すると、前記ボタン構造１００は、第一動作状態にある。前記第二挿着部２０２ａが前記押圧部材２０の第一挿着部２０１ａに挿着されないため、前記ボタン構造１００は、電力やデータを伝送することができない。しかしながら、前記押圧部材２０が押圧されることにより、指令が送信されることができ、つまり、電源をオンまたはオフにする操作、或いは、起動またはシャットダウンという操作が行われることができる。
【００３４】
図６を参照すると、前記第二挿着部２０２ａが前記押圧部材２０の第一挿着部２０１ａに挿着されるため、前記ボタン構造１００は、電力やデータを伝送することができる。
【００３５】
図７を参照すると、前記第二挿着部２０２ａが前記押圧部材２０の第一挿着部２０１ａに挿着されるとともに、前記押圧部材２０が前記接続部材１０に近づき、前記指令送信端１３が指令を送信するようにトリガされ、つまり、前記ボタン構造１００は、データを伝送し且つ充電を行うと同時に、電源をオンまたはオフにする操作、或いは、起動またはシャットダウンという操作を行うことができる。
【００３６】
第二実施例において、前記第一挿着部２０１ａがスロットであり、前記第二挿着部２０２ａが突起である。例えば、前記第一挿着部２０１ａが標準のＵＳＢソケット（図示せず）であり、前記第二挿着部２０２ａが標準のＵＳＢプラグ（図示せず）である。
【００３７】
さらに、第一実施例において、図８を参照すると、前記弾性部材３０は、円弧状に曲げられたものである。前記弾性部材３０は、前記接続部材１０に固定された第一端３０ａと、前記押圧部材２０に固定された第二端３０ｂとを備える。前記少なくとも１つの弾性部材３０の第二端３０ｂは、直線に沿って配列される。前記少なくとも１つの弾性部材３０の第二端３０ｂは、交互に配列され、且つ、前記指令送信端１３の両側に位置する。前記弾性部材３０第一端３０ａは円柱状を呈する。前記弾性部材３０の４つの第一端３０ａは、それぞれ、前記第一正極ピン２１１、前記第一負極ピン２１２、前記第二正極ピン２２１及び前記第二負極ピン２２２と一体になって設けられることにより、前記弾性部材３０が前記押圧部材２０に弾力を提供する。前記弾性部材３０の第二端３０ｂは、平板状を呈する。前記弾性部材３０の４つの第二端３０ｂは、それぞれ、前記接続部材１０の第一正極１１１、第一負極１１２、第二正極１２１及び第二負極１２２に固定されて接続される。
【００３８】
第一実施例の第一変形例において、図９を参照すると、前記弾性部材３０の第一端３０ａは、カード状を呈する。前記弾性部材３０の第一端３０ａは、前記押圧部材２０内に挿入されることができるため、弾性部材３０の交換が便利になる。
【００３９】
第一実施例の第二変形例において、図１０を参照すると、前記弾性部材３０は、８分の１の球状を呈し、前記第一端３０ａが円柱状を呈し、前記第二端３０ｂが４分の１の円環状を呈する。前記第二端３０ｂは、前記第一端３０ａの軸線周りに設けられる。前記第一端３０ａと前記第二端３０ｂの間には、８分の１の球状の薄肉が形成される。前記第二端３０ｂは、構造が前記第一端３０ａよりも安定であるため、前記弾性部材３０の寿命が向上する。
【００４０】
本発明は、端末（図示せず）をさらに提供する。前記端末は、前記ボタン構造１００と、ハウジング（図示せず）とを備える。前記ハウジングは、収納室を備える。前記接続部材１０は、前記収納室内に固定される。前記押圧部材２０は、前記収納室から露出する。前記端末は、携帯電話、タブレットコンピュータ、電子リーダーなどであってもよいと理解すべきである。前記ハウジングは、端末のハウジングである。前記収納室は、端末のアンテナ、チップ、メモリーカード及び電池などの素子を収納することができる。前記接続部材１０は、端末のアンテナ、チップ、メモリーカード及び電池などの素子に電気的に接続され、電力及び／又はデータを伝送し、指令を送信することができる。前記押圧部材２０が前記収納室内に押圧されることにより、指令がトリガされることができる。
【００４１】
さらに、前記端末は、前記収納室を封着するカバープレート４０をさらに備える。前記接続部材１０は、前記カバープレート４０に対向して設けられる。前記押圧部材２０は、前記カバープレート４０に固定される。前記カバープレート４０には、前記接続部材１０に近づく変形が生じることができる。前記カバープレート４０は、前記ハウジングに密着することができる。前記カバープレート４０には、スルーホール（図示せず）が設けられる。前記押圧部材２０の周縁には、係合部２５が設けられる。前記係合部２５が前記スルーホールに係合されることにより、前記押圧部材２０は、前記カバープレートに密着する。さらに、前記押圧部材２０は、前記ハウジングに密着する、押圧されるとともに、防塵及び防水という目的が達成され、前記端末の寿命が向上することができる。
【００４２】
さらに、前記端末は、蓄電素子（図示せず）及びデータ記憶素子（図示せず）の少なくとも１つと、指令処理素子（図示せず）とをさらに備える。前記電流伝送端１１は、前記蓄電素子に電気的に接続される。前記データ伝送端１２は、前記データ記憶素子に電気的に接続される。前記指令送信端１３は、前記指令処理素子に電気的に接続される。前記端末が携帯電話である場合、前記蓄電素子が複数充電可能な充電電池であってもよく、前記データ記憶素子がメモリーカード、またはＳＤカード（Ｓｅｃｕｒｅ  Ｄｉｇｉｔａｌ  Ｍｅｍｏｒｙ  Ｃａｒｄ）であってもよく、前記指令処理素子がＣＰＵ（Ｃｅｎｔｒａｌ  Ｐｒｏｃｅｓｓｉｎｇ  Ｕｎｉｔ）であってもよいと理解すべきである。
【００４３】
本発明に係るボタン構造及びそれを備える端末は、前記押圧部材の電流伝送ピンが前記接続部材の電流伝送端に電気的に接続されることにより、電流を出力または入力することができ、前記押圧部材のデータ伝送ピンが前記接続部材のデータ伝送端に電気的に接続されることにより、データを出力または入力することができ、前記指令トリガ端が、前記押圧部材が前記接続部材を押圧する場合、前記指令送信端に接触し、指令を送信することにより、前記ボタン構造は、様々な機能要求を満たすことができる。
【００４４】
以上は、本発明の好適な実施形態であるが、当業者にとっては、本発明の要旨を逸脱しない範囲において様々な改良および修正が可能であり、これらの改良および修正は、特許請求の範囲に属するものとする。
【図１】
0006499762.tif 000002
【図２】
0006499762.tif 000003
【図３】
0006499762.tif 000004
【図４】
0006499762.tif 000005
【図５】
0006499762.tif 000006
【図６】
0006499762.tif 000007
【図７】
0006499762.tif 000008
【図８】
0006499762.tif 000009
【図９】
0006499762.tif 000010
【図１０】
0006499762.tif 000011